(57)【要約】【課題】ページ送りなどによる画像の切り替え時の消費電力を抑えること。【解決手段】本発明の表示制御装置は、表示手段に表示されている画像を切り替える指示を示す切替信号を取得する切替信号取得手段と、切替信号が取得されると、次に前記表示手段に表示すべき画像を示す画像データを取得する画像データ取得手段と、画像データが取得されると、予め設定された一部の走査線を順次選択する垂直走査信号、および走査線の各々の選択期間に複数のデータ線を順次選択する水平走査信号を、それぞれ同期させて表示手段に対して出力する走査信号制御手段と、画像データが取得されると、当該画像データに係る画像のうち一部の走査線以外に対応する部分を間引いたデータ信号を生成し、水平走査信号に同期させて、表示手段に対して出力するデータ信号制御手段とを具備することを特徴とする。【選択図】図５
2010181797.tif 000002
【特許請求の範囲】
【請求項１】
複数の走査線と複数のデータ線との交差位置に設けられる複数の画素、入力される垂直走査信号に応じて前記走査線を選択する垂直走査回路、および入力されるデータ信号を、入力される水平走査信号に応じて選択される前記データ線の各々に供給する水平走査回路を有し、前記各画素は前記走査線が選択されたときに、前記データ線に供給されたデータ信号の電圧に応じた表示色を保持する表示手段に表示される画像を切り替える表示制御装置において、
前記表示手段に表示されている画像を切り替える指示を示す切替信号を取得する切替信号取得手段と、
前記切替信号取得手段によって切替信号が取得されると、次に前記表示手段に表示すべき画像を示す画像データを取得する画像データ取得手段と、
前記画像データ取得手段によって画像データが取得されると、前記複数の走査線のうち予め設定された一部の走査線を順次選択する垂直走査信号、および前記走査線の各々の選択期間に前記複数のデータ線を順次選択する水平走査信号を、それぞれ同期させて前記表示手段に対して出力する走査信号制御手段と、
前記画像データ取得手段によって画像データが取得されると、当該画像データに係る画像のうち前記一部の走査線以外に対応する部分を間引いたデータ信号を生成し、前記水平走査信号に同期させて、前記表示手段に対して出力するデータ信号制御手段と
を具備することを特徴とする表示制御装置。
【請求項２】
前記表示手段に表示されている画像を間引き前の画像として表示させる指示を示す指示信号を取得する指示信号取得手段をさらに具備し、
前記走査信号制御手段は、前記指示信号取得手段によって指示信号が取得されると、全ての前記走査線を順次選択する垂直走査信号を出力し、
前記データ信号制御手段は、前記指示信号取得手段によって指示信号が取得されると、前記画像データ取得手段によって取得された画像データに係る画像を示すデータ信号を、前記水平走査信号に同期させて出力する
ことを特徴とする請求項１に記載の表示制御装置。
【請求項３】
前記一部の走査線は、全ての前記走査線のうち、予め設定された間隔の走査線として設定されている
ことを特徴とする請求項１または請求項２に記載の表示制御装置。
【請求項４】
前記垂直走査回路は、各々選択する走査線が異なる複数の分割走査回路を有し、
前記走査信号制御手段は、前記一部の走査線を選択する分割走査回路に対して、当該一部の走査線を順次選択する垂直走査信号を出力するとともに、当該分割走査回路以外の分割走査回路に対しては、走査線の選択をしない垂直走査信号を出力する
ことを特徴とする請求項１乃至請求項３のいずれかに記載の表示制御装置。
【請求項５】
前記データ信号制御手段は、前記生成したデータ信号のうち、前記複数のデータ線の予め設定された一部のデータ線に供給されるべきデータを予め設定されたデータに置換したデータ信号を、前記水平走査信号に同期させて出力する
ことを特徴とする請求項１乃至請求項４のいずれかに記載の表示制御装置。
【請求項６】
前記走査信号制御手段は、出力する水平走査信号を前記複数のデータ線のうち予め設定された一部のデータ線を順次選択する信号とするとともに、出力する垂直走査信号を前記走査線の各々の選択期間が前記一部のデータ線の数に応じた期間になる信号とし、
前記データ信号制御手段は、前記生成したデータ信号のうち、前記一部のデータ線以外に供給されるべきデータを間引いたデータ信号を、前記水平走査信号に同期させて出力する
ことを特徴とする請求項１乃至請求項４のいずれかに記載の表示制御装置。
【請求項７】
複数の走査線と複数のデータ線との交差位置に設けられる複数の画素、入力される垂直走査信号に応じて前記走査線を選択する垂直走査回路、および入力されるデータ信号を、入力される水平走査信号に応じて選択される前記データ線の各々に供給する水平走査回路を有し、前記各画素は前記走査線が選択されたときに、前記データ線に供給されたデータ信号の電圧に応じた表示色を保持する表示手段に表示される画像を切り替える表示制御装置において、
前記表示手段に表示されている画像を切り替える指示を示す切替信号を取得する切替信号取得手段と、
前記切替信号取得手段によって切替信号が取得されると、次に前記表示手段に表示すべき画像を示す画像データを取得する画像データ取得手段と、
前記画像データ取得手段によって画像データが取得されると、前記複数のデータ線のうち予め設定された一部のデータ線を順次選択する水平走査信号、および前記複数の走査線を順次選択し、前記走査線の各々の選択期間を前記一部のデータ線の数に応じた期間とする垂直走査信号を、前記表示手段に対して出力する走査信号制御手段と、
前記画像データ取得手段によって画像データが取得されると、当該画像データに係る画像のうち前記一部のデータ線以外に対応する部分を間引いたデータ信号を生成し、前記水平走査信号に同期させて、前記表示手段に対して出力するデータ信号制御手段と
を具備することを特徴とする表示制御装置。
【請求項８】
請求項１乃至請求項７のいずれかに記載の表示制御装置と、
前記表示手段と
を具備することを特徴とする表示装置。
【請求項９】
複数の走査線と複数のデータ線との交差位置に設けられる複数の画素、入力される垂直走査信号に応じて前記走査線を選択する垂直走査回路、および入力されるデータ信号を、入力される水平走査信号に応じて選択される前記データ線の各々に供給する水平走査回路を有し、前記各画素は前記走査線が選択されたときに、前記データ線に供給されたデータ信号の電圧に応じた表示色を保持する表示手段に対する表示を制御する表示制御方法であって、
前記表示手段に表示されている画像を切り替える指示を示す切替信号を取得する切替信号取得過程と、
前記切替信号取得過程において切替信号が取得されると、次に前記表示手段に表示すべき画像を示す画像データを取得する画像データ取得過程と、
前記画像データ取得過程において画像データが取得されると、前記複数の走査線のうち、予め設定された一部の走査線を順次選択する垂直走査信号、および前記走査線の各々の選択期間に前記複数のデータ線を順次選択する水平走査信号を、それぞれ同期させて前記表示手段に対して出力する走査信号制御過程と、
前記画像データ取得過程において画像データが取得されると、当該画像データに係る画像のうち前記一部の走査線以外に対応する部分を間引いたデータ信号を生成し、前記水平走査信号に同期するように、前記表示手段に対して出力するデータ信号制御過程と
を備えることを特徴とする表示制御方法。
【請求項１０】
複数の走査線と複数のデータ線との交差位置に設けられる複数の画素、入力される垂直走査信号に応じて前記走査線を選択する垂直走査回路、および入力されるデータ信号を、入力される水平走査信号に応じて選択される前記データ線の各々に供給する水平走査回路を有し、前記各画素は前記走査線が選択されたときに、前記データ線に供給されたデータ信号の電圧に応じた表示色を保持する表示手段に対する表示を制御する表示制御方法であって、
前記表示手段に表示されている画像を切り替える指示を示す切替信号を取得する切替信号取得過程と、
前記切替信号取得過程において切替信号が取得されると、次に前記表示手段に表示すべき画像を示す画像データを取得する画像データ取得過程と、
前記画像データ取得過程において画像データが取得されると、前記複数のデータ線のうち予め設定された一部のデータ線を順次選択する水平走査信号、および前記複数の走査線を順次選択し、前記走査線の各々の選択期間を前記一部のデータ線の数に応じた期間とする垂直走査信号を、前記表示手段に対して出力する走査信号制御過程手段と、
前記画像データ取得過程において画像データが取得されると、当該画像データに係る画像のうち前記一部のデータ線以外に対応する部分を間引いたデータ信号を生成し、前記水平走査信号に同期するように、前記表示手段に対して出力するデータ信号制御過程と
を備えることを特徴とする表示制御方法。
【発明の詳細な説明】
【技術分野】
【０００１】
本発明は、画像を無電源状態で保持する表示装置における画像切り替え時の省電力化技術に関する。
【背景技術】
【０００２】
表示させる画像を電子的に記憶し、記憶した画像が無電源状態でも保持される表示装置を一般的に電子ペーパという。電子ペーパに表示される画像の切り替えは、書込装置から画像データを取得し、各画素に設けられた表示層に対して、その画像データに応じた電界をかけて表示層の表示色を変化させることにより行われる。表示層には、例えば、帯電粒子を封止したマイクロカプセル（電気泳動方式）が用いられる。
【０００３】
このような電子ペーパは、無電源状態でも表示された画像を保持するため、電力消費を非常に少ないものとすることができるため、内蔵するバッテリの容量が少なくすることができる。一方、画像の切り替えが行われるときには、電力消費が発生するが、この電力消費量も減らすことによりバッテリの蓄積電力の低下をさらに抑える技術が開示されている（例えば、特許文献１）。
【先行技術文献】
【特許文献】
【０００４】
【特許文献１】特開２００５−２１５３３２号公報
【発明の概要】
【発明が解決しようとする課題】
【０００５】
特許文献１のような技術においては、画像のコントラストを下げるものであるが、これは、表示層への印加電圧の低減を行うため、切り替え前の画像が残像のように残る場合がある。
【０００６】
本発明は、上述の事情に鑑みてなされたものであり、ページ送りなどによる画像の切り替え時の消費電力を抑える表示制御装置、表示制御方法および表示装置を提供することを目的とする。
【課題を解決するための手段】
【０００７】
上述の課題を解決するため、本発明は、複数の走査線と複数のデータ線との交差位置に設けられる複数の画素、入力される垂直走査信号に応じて前記走査線を選択する垂直走査回路、および入力されるデータ信号を、入力される水平走査信号に応じて選択される前記データ線の各々に供給する水平走査回路を有し、前記各画素は前記走査線が選択されたときに、前記データ線に供給されたデータ信号の電圧に応じた表示色を保持する表示手段に表示される画像を切り替える表示制御装置において、前記表示手段に表示されている画像を切り替える指示を示す切替信号を取得する切替信号取得手段と、前記切替信号取得手段によって切替信号が取得されると、次に前記表示手段に表示すべき画像を示す画像データを取得する画像データ取得手段と、前記画像データ取得手段によって画像データが取得されると、前記複数の走査線のうち予め設定された一部の走査線を順次選択する垂直走査信号、および前記走査線の各々の選択期間に前記複数のデータ線を順次選択する水平走査信号を、それぞれ同期させて前記表示手段に対して出力する走査信号制御手段と、前記画像データ取得手段によって画像データが取得されると、当該画像データに係る画像のうち前記一部の走査線以外に対応する部分を間引いたデータ信号を生成し、前記水平走査信号に同期させて、前記表示手段に対して出力するデータ信号制御手段とを具備することを特徴とする表示制御装置を提供する。
【０００８】
この表示制御装置によれば、ページ送りなどの画像の切り替え時に、消費される電力を低減することができる。
【０００９】
また、別の好ましい態様において、前記表示手段に表示されている画像を間引き前の画像として表示させる指示を示す指示信号を取得する指示信号取得手段をさらに具備し、前記走査信号制御手段は、前記指示信号取得手段によって指示信号が取得されると、全ての前記走査線を順次選択する垂直走査信号を出力し、前記データ信号制御手段は、前記指示信号取得手段によって指示信号が取得されると、前記画像データ取得手段によって取得された画像データに係る画像を示すデータ信号を、前記水平走査信号に同期させて出力してもよい。
【００１０】
このようにすると、ページ送り終了後に、ページ送り時の画像よりも精細度の高い画像を表示させることができる。
【００１１】
また、別の好ましい態様において、前記一部の走査線は、全ての前記走査線のうち、予め設定された間隔の走査線として設定されてもよい。このようにすると、ページ送りのときに表示される画像の表示品位を向上させることができる。
【００１２】
また、別の好ましい態様において、前記垂直走査回路は、各々選択する走査線が異なる複数の分割走査回路を有し、前記走査信号制御手段は、前記一部の走査線を選択する分割走査回路に対して、当該一部の走査線を順次選択する垂直走査信号を出力するとともに、当該分割走査回路以外の分割走査回路に対しては、走査線の選択をしない垂直走査信号を出力してもよい。
【００１３】
このようにすると、ページ送りのときに消費する電力について、さらに低減させることができる。
【００１４】
また、別の好ましい態様において、前記データ信号制御手段は、前記生成したデータ信号のうち、前記複数のデータ線の予め設定された一部のデータ線に供給されるべきデータを予め設定されたデータに置換したデータ信号を、前記水平走査信号に同期させて出力してもよい。
【００１５】
このようにすると、ページ送りのときに消費する電力について、さらに低減させることができる。
【００１６】
また、別の好ましい態様において、前記走査信号制御手段は、前記複数のデータ線の予め設定された一部のデータ線の数に応じて、前記各走査線が選択される時間が短くなるようにした垂直走査信号、および前記一部のデータ線を順次選択する水平走査信号を出力し、前記データ信号制御手段は、前記生成したデータ信号のうち、前記一部のデータ線以外に供給されるべきデータを間引いたデータ信号を、前記水平走査信号に同期させて出力してもよい。
【００１７】
このようにすると、ページ送りのときに消費する電力について、さらに低減させることができる。
【００１８】
また、本発明は、複数の走査線と複数のデータ線との交差位置に設けられる複数の画素、入力される垂直走査信号に応じて前記走査線を選択する垂直走査回路、および入力されるデータ信号を、入力される水平走査信号に応じて選択される前記データ線の各々に供給する水平走査回路を有し、前記各画素は前記走査線が選択されたときに、前記データ線に供給されたデータ信号の電圧に応じた表示色を保持する表示手段に表示される画像を切り替える表示制御装置において、前記表示手段に表示されている画像を切り替える指示を示す切替信号を取得する切替信号取得手段と、前記切替信号取得手段によって切替信号が取得されると、次に前記表示手段に表示すべき画像を示す画像データを取得する画像データ取得手段と、前記画像データ取得手段によって画像データが取得されると、前記複数のデータ線のうち予め設定された一部のデータ線を順次選択する水平走査信号、および前記複数の走査線を順次選択し、前記走査線の各々の選択期間を前記一部のデータ線の数に応じた期間とする垂直走査信号を、前記表示手段に対して出力する走査信号制御手段と、前記画像データ取得手段によって画像データが取得されると、当該画像データに係る画像のうち前記一部のデータ線以外に対応する部分を間引いたデータ信号を生成し、前記水平走査信号に同期させて、前記表示手段に対して出力するデータ信号制御手段とを具備することを特徴とする表示制御装置を提供する。
【００１９】
この表示制御装置によれば、ページ送りなどの画像の切り替え時に、消費される電力を低減することができる。
【００２０】
また、本発明は、上記のいずれかに記載の表示制御装置と、前記表示手段とを具備することを特徴とする表示装置を提供する。この表示装置によれば、ページ送りなどの画像の切り替え時に、消費される電力を低減することができる。
【００２１】
また、本発明は、複数の走査線と複数のデータ線との交差位置に設けられる複数の画素、入力される垂直走査信号に応じて前記走査線を選択する垂直走査回路、および入力されるデータ信号を、入力される水平走査信号に応じて選択される前記データ線の各々に供給する水平走査回路を有し、前記各画素は前記走査線が選択されたときに、前記データ線に供給されたデータ信号の電圧に応じた表示色を保持する表示手段に対する表示を制御する表示制御方法であって、前記表示手段に表示されている画像を切り替える指示を示す切替信号を取得する切替信号取得過程と、前記切替信号取得過程において切替信号が取得されると、次に前記表示手段に表示すべき画像を示す画像データを取得する画像データ取得過程と、前記画像データ取得過程において画像データが取得されると、前記複数の走査線のうち、予め設定された一部の走査線を順次選択する垂直走査信号、および前記走査線の各々の選択期間に前記複数のデータ線を順次選択する水平走査信号を、それぞれ同期させて前記表示手段に対して出力する走査信号制御過程と、前記画像データ取得過程において画像データが取得されると、当該画像データに係る画像のうち前記一部の走査線以外に対応する部分を間引いたデータ信号を生成し、前記水平走査信号に同期するように、前記表示手段に対して出力するデータ信号制御過程とを備えることを特徴とする表示制御方法を提供する。
【００２２】
この表示制御方法によれば、ページ送りなどの画像の切り替え時に、消費される電力を低減することができる。
【００２３】
また、本発明は、複数の走査線と複数のデータ線との交差位置に設けられる複数の画素、入力される垂直走査信号に応じて前記走査線を選択する垂直走査回路、および入力されるデータ信号を、入力される水平走査信号に応じて選択される前記データ線の各々に供給する水平走査回路を有し、前記各画素は前記走査線が選択されたときに、前記データ線に供給されたデータ信号の電圧に応じた表示色を保持する表示手段に対する表示を制御する表示制御方法であって、前記表示手段に表示されている画像を切り替える指示を示す切替信号を取得する切替信号取得過程と、前記切替信号取得過程において切替信号が取得されると、次に前記表示手段に表示すべき画像を示す画像データを取得する画像データ取得過程と、前記画像データ取得過程において画像データが取得されると、前記複数のデータ線のうち予め設定された一部のデータ線を順次選択する水平走査信号、および前記複数の走査線を順次選択し、前記走査線の各々の選択期間を前記一部のデータ線の数に応じた期間とする垂直走査信号を、前記表示手段に対して出力する走査信号制御過程手段と、前記画像データ取得過程において画像データが取得されると、当該画像データに係る画像のうち前記一部のデータ線以外に対応する部分を間引いたデータ信号を生成し、前記水平走査信号に同期するように、前記表示手段に対して出力するデータ信号制御過程とを備えることを特徴とする表示制御方法を提供する。
【００２４】
この表示制御方法によれば、ページ送りなどの画像の切り替え時に、消費される電力を低減することができる。
【図面の簡単な説明】
【００２５】
【図１】本発明の実施形態に係る表示装置の外観を示す説明図である。
【図２】本発明の実施形態に係る表示装置の構成を示すブロック図である。
【図３】本発明の実施形態に係る画素回路の構成を示す回路図である。
【図４】本発明の実施形態に係るデータ信号Ｖｄ（１）、Ｖｄ（２）の説明図である。
【図５】本発明の実施形態に係る表示部２に表示される画像の説明図である。
【図６】本発明の実施形態に係る表示装置の動作を説明するフローチャートである。
【図７】変形例１に係る垂直走査回路の構成を説明する図である。
【図８】変形例４に係るデータ信号Ｖｄ（１）、Ｖｄ（２）の説明図である。
【発明を実施するための形態】
【００２６】
以下、本発明の実施形態について図面を参照して説明する。
【００２７】
＜実施形態＞
図１は、本発明の実施形態に係る表示装置１の外観図である。表示装置１は、画像の表示を行う表示部２、利用者の操作を受け付ける操作部３、および接続Ｉ／Ｆ部４を有する。接続Ｉ／Ｆ部４は、外部機器１００と接続し、表示部２に表示させる画像を示す画像データの要求をし、要求に応じて送信される画像データを受信するインターフェイスである。外部機器１００は、画像データを記憶するメモリなどであり、表示装置１からの要求に応じて画像データを送信する装置である。
【００２８】
図２は、表示装置１の構成を示す図である。表示装置１は、上述した表示部２、操作部３、接続Ｉ／Ｆ部４の他、表示制御部１０を有する。以下、それぞれの構成について説明する。
【００２９】
表示部２は、例えば、電子ペーパなどであって、複数の走査線Ｇ１、Ｇ２、・・・、Ｇｎ（以下、各走査線を区別しない場合には、走査線２５という）と複数のデータ線Ｓ１、Ｓ２、Ｓ３・・・、Ｓｍ（以下、各データ線を区別しない場合には、データ線２４という）との交差位置に対応して、マトリクス状に設けられる複数の画素回路２３を有する。また、表示部２は、複数の画素回路２３の周辺に垂直走査回路２１、水平走査回路２２などの周辺回路が設けられている。
【００３０】
図３は、画素回路２３の構成を示す回路図である。画素回路２３は、ｎチャネル型ＴＦＴ（Thin Film Transistor：薄膜トランジスタ）２３０のソースがデータ線２４に接続され、ドレインが画素電極２３２に接続されるとともに、ゲートが走査線２５に接続される。また、各画素回路２３の画素電極２３２のそれぞれに共通して透明電極２３４が設けられ、各透明電極２３４は、コモン線２３５に接続されている。画素電極２３２と透明電極２３４との間には、表示層を構成するマイクロカプセル２３３が配置されている。ここで、画素電極２３２と透明電極２３４とは、対向するプラスチックなどの基板の各々に設けられ、マイクロカプセル２３３は、この基板間に封入されている。そして、透明電極２３４側の面が表示面となる。
【００３１】
マイクロカプセル２３３は、透明樹脂を数ナノメートル程度の球体状に構成したカプセルの中に、透明な絶縁性液体とともに、プラスに帯電した白色粒子と、マイナスに帯電した黒色粒子とが封入されたものである。したがって、透明電極２３４に対する画素電極２３２の電位が正（Ｈレベル）となる場合には、黒色粒子に対して白色粒子が透明電極２３４側に移動するから、透明電極２３４側から見た表示色は白色となる。一方、透明電極２３４に対する画素電極２３２の電位が負（Ｌレベル）となる場合には、白色粒子に対して黒色粒子が透明電極２３４側に移動するから、表示色は黒色となる。
【００３２】
また、各画素回路２３には、画素電極２３２と透明電極２３４との間に与えられる電位差を一定時間保持するための保持容量２３１が設けられている。保持容量２３１の一旦は画素電極２３２とともにｎチャネル型ＴＦＴ２３０のドレインに接続され、多端はコモン線２３５に接続されている。このように、上述のようにして得られる各画素回路２３における表示色については、改めて電位差が与えられない限り、電源を切った状態でも保持されるようになっている。
【００３３】
図２に戻って説明を続ける。垂直走査回路２１は、表示制御部１０から垂直走査信号ＣＬＹが入力され、この垂直走査信号ＣＬＹに応じて走査線２５を順次排他的に選択する。この各走査線２５の選択は、それぞれ１水平走査期間にわたって行われる。垂直走査回路２１は、選択された走査線２５に対して、Ｈレベルの信号を供給し、選択されていない走査線２５についてはＬレベルの信号を供給する。
【００３４】
表示部２に表示される画像の切り替えのときには、表示制御部１０から垂直走査回路２１に出力される垂直走査信号ＣＬＹは、この例においては、走査線２５の選択態様が異なる２種類の垂直走査信号ＣＬＹ（１）、ＣＬＹ（２）のいずれかが用いられる。
【００３５】
垂直走査信号ＣＬＹ（１）は、垂直走査回路２１に、全ての走査線２５、すなわち、走査線Ｇ１、Ｇ２、・・・、Ｇｎと順次排他的に選択させるものである。一方、垂直走査信号ＣＬＹ（２）については、垂直走査回路２１に、奇数番号の走査線２５、すなわち、走査線Ｇ１、Ｇ３、Ｇ５、・・・、Ｇｎ−１（ｎが偶数の場合。以下同じ。）と順次排他的に選択させるものである。ここで、いずれの垂直走査信号ＣＬＹ（１）、ＣＬＹ（２）についても、１走査線当たりの選択期間は、１水平走査期間にわたったものであり、垂直走査信号ＣＬＹ（２）で規定される垂直走査期間は、垂直走査信号ＣＬＹ（１）で規定される垂直走査期間の半分となる。
【００３６】
水平走査回路２２は、表示制御部１０から水平走査信号ＣＬＸおよびデータ信号Ｖｄが同期して入力される。データ信号Ｖｄは、上述したように、各画素電極２３２の電位をＨレベルとするかＬレベルとするかを規定する信号である。水平走査信号ＣＬＸは、垂直走査回路２１によって走査線２５の各々の選択期間、すなわち１水平走査期間の間に、データ線２４をデータ線Ｓ１、Ｓ２、・・・、Ｓｍと順次排他的に選択する。このように、水平走査信号ＣＬＸは、垂直走査信号ＣＬＹとも同期している。
【００３７】
水平走査回路２２は、選択したデータ線２４に対して、データ信号Ｖｄを供給する。このデータ信号Ｖｄは、後述するように、データ信号制御部１２から水平走査信号ＣＬＸに同期して出力される。これにより、データ線２４に供給されたデータ信号Ｖｄは、このデータ線２４と、垂直走査回路２１によって選択されている走査線２５とが交差位置に設けられた画素回路２３の画素電極２３２に供給される。ここで、データ信号Ｖｄの各データ線２４への供給については、上述のように、選択されたデータ線Ｓ１、Ｓ２、・・・、Ｓｍに順次供給される点順次駆動による供給としてもよいし、各データ線２４に供給されるデータ信号Ｖｄをラッチした後、全データ線２４に一度にラッチしたデータ信号Ｖｄを供給する線順次駆動による供給としてもよい。この例においては、各走査線２５の選択期間、すなわち水平走査期間を短くすることができる線順次駆動によるものとする。以上が、表示部２の説明である。
【００３８】
操作部３は、利用者の操作を受け付ける操作手段であって、ページ送り（画像の切り替え）を指示するボタン、詳細画像の表示を指示するボタンを有する。操作部３は、利用者の操作によって、ページ送りの指示、詳細画像の表示の指示がなされると、表示制御部１０に対して、それぞれ切替信号、指示信号を出力する。
【００３９】
接続Ｉ／Ｆ部４は、上述したように、外部機器１００と接続し、表示部２に表示させる画像を示す画像データの要求をする要求信号を送信し、要求に応じて外部機器１００から送信される画像データを受信するインターフェイスである。接続Ｉ／Ｆ部４は、表示制御部１０の制御により、接続された外部機器１００に対して画像データの要求をし、外部機器１００から画像データを受信すると、表示制御部１０に出力する。
【００４０】
次に、表示制御部１０の構成について説明する。図２に示すように、表示制御部１０は、主制御部１１、データ信号制御部１２および走査信号制御部１３を有する。主制御部１１は、操作部３から出力される切替信号、指示信号を取得して、これらの信号に応じて、表示制御部１０の各部を制御する。また、主制御部１１は、切替信号を取得すると、接続Ｉ／Ｆ部４を制御して、外部機器１００に要求信号を送信させる。
【００４１】
データ信号制御部１２は、接続Ｉ／Ｆ部４から入力される画像データを取得し、この画像データに応じて、データ信号Ｖｄを生成し、水平走査回路２２に出力する。この出力は、水平走査信号ＣＬＸに同期して、水平走査回路２２に読み出されることによって行われる。データ信号制御部１２は、データ信号Ｖｄについて、この例においては、画像データが示す画像全体を示すデータ信号Ｖｄ（１）、または一部が間引かれた画像を示すデータ信号Ｖｄ（２）のいずれかとして出力する制御を、主制御部１１の指示により行う。この例においては、データ信号制御部１２は、主制御部１１に切替信号が入力されると、データ信号Ｖｄ（２）を出力し、主制御部１１に指示信号が入力されると、データ信号Ｖｄ（１）を出力する。なお、接続Ｉ／Ｆ部４から入力される画像データは、データ信号Ｖｄ（１）と同じものであってもよい。
【００４２】
図４は、データ信号Ｖｄ（１）、Ｖｄ（２）の説明図である。データ信号Ｖｄ（１）は、走査線Ｇ１とデータ線Ｓ１との交差位置の画素回路２３に対応するデータ（ＨレベルまたはＬレベル。以下同じ。）、データ線Ｓ２との交差位置の画素回路２３に対応するデータ、と順に並んでいる走査線Ｇ１に係る画素回路２３に対応するデータ（図４における「Ｇ１」に対応、以下、「データＧ１」という。）が、走査線Ｇｎに対応するデータＧｎまで続いているものであり、画像データに係る画像を示している。データ信号Ｖｄ（１）は、水平走査信号ＣＬＸと同期して読み出されることにより水平走査回路２２に出力されると、垂直走査期間（図４における「Ｔｆ」に対応）で各画素回路２３へのデータの供給が終了する。水平走査期間は、Ｔｆ／ｎとなる。
【００４３】
一方、データ信号Ｖｄ（２）は、データ信号Ｖｄ（１）のうち、垂直走査信号ＣＬＹ（２）によって選択される走査線２５以外、すなわち偶数番号の走査線２５に対応するデータ（データＧ２、Ｇ４、Ｇ６、・・・、Ｇｎ）を間引いたものである。すなわち、データ信号Ｖｄ（２）は、画像データに係る画像のうち、偶数番号の走査線２５に対応する部分が間引かれた画像を示している。したがって、データ信号Ｖｄ（２）は、水平走査信号ＣＬＸと同期して読み出されることにより水平走査回路２２に出力されると、データ信号Ｖｄ（１）に係る垂直走査期間Ｔｆの半分の時間Ｔｆ／２で、各画素回路２３へのデータの供給が終了する。水平走査期間は、Ｔｆ／ｎ（＝（Ｔｆ／２）／（ｎ／２））となり、上述の場合と変わらない。ただし、偶数番号の走査線２５については、垂直走査回路２１によって選択されないため、全体の半分の画素回路２３については、データ信号Ｖｄ（２）に係るデータは供給されない。
【００４４】
図５は、データ信号Ｖｄ（１）、Ｖｄ（２）により表示部２に表示される画像の説明図である。後述するようにして、データ信号Ｖｄ（１）を用いて表示部２に画像を表示させると、図５(ａ)に示すように、画像データが示す画像全体が表示される。この表示に要する時間は、概ねＴｆとなる。一方、データ信号Ｖｄ（２）を用いて表示部２に画像を表示させると、図５（ｂ）に示すように、走査線２５の１本おきに対応する部分が間引かれた画像が表示される。この表示に要する時間は、概ねＴｆ／２となる。
【００４５】
図２に戻って説明を続ける。走査信号制御部１３は、水平走査信号ＣＬＸを水平走査回路２２に出力し、垂直走査信号ＣＬＹ（ＣＬＹ（１）、ＣＬＹ（２））を垂直走査回路２１に出力する。水平走査信号ＣＬＸと垂直走査信号ＣＬＹとの出力は、上述したように同期が取られている。走査信号制御部１３は、垂直走査信号ＣＬＹ（１）または垂直走査信号ＣＬＹ（２）のいずれかを出力する制御を、主制御部１１の指示により行う。
【００４６】
この例においては、走査信号制御部１３は、主制御部１１に切替信号が入力されると、垂直走査信号ＣＬＹ（２）を出力し、主制御部１１に指示信号が入力されると、垂直走査信号ＣＬＹ（１）を出力する。すなわち、走査信号制御部１３は、データ信号制御部１２からデータ信号Ｖｄ（１）が出力されているときには、垂直走査信号ＣＬＹ（１）を出力し、データ信号制御部１２からデータ信号Ｖｄ（２）が出力されているときには、垂直走査信号ＣＬＹ（２）を出力する。以上が、表示装置１の構成についての説明である。
【００４７】
次に、表示装置１におけるページ送りによる画像を切り替える処理について、図６を用いて説明する。
【００４８】
図６は、表示装置１におけるページ送りによる画像を切り替える処理を説明するフローチャートである。表示装置１の表示部２には表示書面の１ページ目が表示されている。まず、主制御部１１は、利用者が操作部３を操作して、ページ送りの指示入力があるまで待機し（ステップＳ１１０；Ｎｏ）、ページ送りの指示入力があると、主制御部１１は、切替信号を取得し（ステップＳ１１０；Ｙｅｓ）、簡易画像表示処理（ステップＳ１２０）に移行する。
【００４９】
簡易画像表示処理は、上述したような、走査線２５の１本おきに対応する部分が間引かれた画像（図５（ｂ）参照）を表示させる処理である。具体的には、主制御部１１は、接続Ｉ／Ｆ部４に対して、外部機器１００に要求信号を送信させる制御を行う。また、主制御部１１は、データ信号制御部１２に対して、データ信号Ｖｄ（２）の出力させる制御を行うとともに、走査信号制御部１３に対して、垂直走査信号ＣＬＹ（２）を出力させ、これに同期させて水平走査信号ＣＬＸを出力させる制御を行う。
【００５０】
データ信号制御部１２は、接続Ｉ／Ｆ部４から出力される画像データを取得すると、この画像データに係る画像から間引いた画像を示すデータ信号Ｖｄ（２）を生成する。そして、走査信号制御部１３から出力される水平走査信号ＣＬＸに同期してデータ信号Ｖｄ（２）が読み出されることにより、水平走査回路２２に出力される。そして、データ信号Ｖｄ（２）の読み出しが完了すると、表示部２には、走査線２５の１本おきに対応する部分が間引かれた画像が表示される。このとき、画像が表示されない部分の走査線２５の選択は行われないため、消費電力が少なくなるとともに、画像が表示されるまでに要する時間が短くなる。なお、画像が表示される前に、直前に表示されている画像を消去するリセット処理を行ってもよい。
【００５１】
主制御部１１は、簡易画像表示処理を終了すると、利用者が操作部３を操作することにより、切替信号か指示信号が出力されるまで待機し（ステップＳ１３０；Ｎｏ）、いずれかの信号が操作部３から出力されて、主制御部１１において取得される（ステップＳ１３０；Ｙｅｓ）。利用者の操作が、ページ送りの指示入力であり、主制御部１１によって取得された信号が切替信号である場合（ステップＳ１４０；Ｎｏ）には、再び簡易画像表示処理（ステップＳ１２０）が行われ、次のページの画像についても、間引いた画像で表示部２に表示される。
【００５２】
一方、利用者の操作が、詳細画像の表示の指示入力であり、主制御部１１によって取得された信号が指示信号である場合（ステップＳ１４０；Ｙｅｓ）、詳細画像表示処理（ステップＳ１５０）に移行する。
【００５３】
詳細画像表示処理は、上述したような、画像データが示す画像（図５（ａ）参照）を表示させる処理である。具体的には、主制御部１１は、データ信号制御部１２に対して、最後に取得した画像データに係るデータ信号Ｖｄ（１）の出力させるとともに、走査信号制御部１３に対して、垂直走査信号ＣＬＹ（１）を出力させ、これに同期させて水平走査信号ＣＬＸを出力させる。
【００５４】
データ信号制御部１２は、最後に接続Ｉ／Ｆ部４から取得した画像データに係る画像を示すデータ信号Ｖｄ（１）を生成する。そして、走査信号制御部１３から出力される水平走査信号ＣＬＸに同期してデータ信号Ｖｄ（１）が読み出されることにより、水平走査回路２２に出力される。そして、データ信号Ｖｄ（１）の読み出しが完了すると、表示部２には、間引かれていない画像が表示される。このとき、全ての走査線２５の選択が行われるため、詳細画像表示処理においては、簡易画像表示処理より消費電力が多くなるとともに、画像が表示されるまでに要する時間も長くなる。なお、画像が表示される前に、直前に表示されている画像を消去するリセット処理を行ってもよい。
【００５５】
このように、本発明の実施形態に係る表示装置１は、ページ送りを行っているときには、簡易画像表示処理として、画像データに係る画像を間引いて表示させることにより、消費電力を抑えるとともに、画像表示の切り替えを速く行うことができる。一方、目的のページに到達し、詳細な表示を表示部２にさせたい場合には、詳細画像表示処理として、間引かれていない画像を表示させることができる。したがって、多くのページ送りを行っても、表示装置１のバッテリへの負荷を低減させることができるとともに、利用者は快適にページ送りを行うことができる。
【００５６】
以上、本発明の実施形態について説明したが、本発明は以下のように、さまざまな態様で実施可能である。
【００５７】
＜変形例１＞
上述した実施形態における垂直走査回路２１について、図７に示すように、複数（この例においては２つ）の垂直走査回路Ａ２１１および垂直走査回路Ｂ２１２から構成される垂直走査回路２１Ａとし、それぞれが走査線２５の奇数番号、偶数番号を分担するようにしてもよい。
【００５８】
図７は、本変形例に係る垂直走査回路２１Ａの構成を説明する図である。この場合には、走査信号制御部１３は、垂直走査回路Ａ２１１、垂直走査回路Ｂ２１２に対して、垂直走査信号ＣＬＹ（Ａ）、ＣＬＹ（Ｂ）を出力するようにする。そして、走査信号制御部１３は、実施形態における垂直走査信号ＣＬＹ（２）の出力時には、奇数番号の走査線２５（垂直走査回路Ａ２１１が分担する全ての走査線２５）を順次選択させる垂直走査信号ＣＬＹ（Ａ）を出力するとともに、走査線２５の選択を行わない、すなわち垂直走査回路Ｂ２１２の動作を停止させるような垂直走査信号ＣＬＹ（Ｂ）を出力する。このようにすれば、ページ送りの時には、垂直走査回路Ｂ２１２を停止させることができるため、さらに消費電力を提言することができる。
【００５９】
一方、走査信号制御部１３は、実施形態における垂直走査信号ＣＬＹ（１）の出力時には、奇数番号の走査線２５（垂直走査回路Ａ２１１が分担する全ての走査線２５）を順次選択させる垂直走査信号ＣＬＹ（Ａ）を出力するとともに、偶数番号の走査線２５（垂直走査回路Ｂ２１２が分担する全ての走査線２５）を順次選択させる垂直走査信号ＣＬＹ（Ｂ）を出力する。
【００６０】
このとき、選択される走査線２５の順番が小さい番号から順に並ぶように、ＣＬＹ（Ａ）とＣＬＹ（Ｂ）とが出力される場合には、データ信号制御部１２は、データ信号Ｖｄ（１）を実施形態と同様に生成すればよい。一方、最初に奇数番号の走査線２５が選択され、その後偶数番号の走査線２５が選択されるなどの場合には、データ信号制御部１２は、データ信号Ｖｄ（１）を、走査線２５の選択順に対応するようにしてデータの入れ替えを行ったものとして生成すればよい。
【００６１】
＜変形例２＞
上述した実施形態においては、詳細画像表示処理を行うときには、利用者が操作部３を操作して指示によるものであったが、ページ送りの指示入力が一定時間行われなかった場合に、自動的に詳細画像表示処理を行うようにしてもよい。
【００６２】
＜変形例３＞
上述した実施形態においては、簡易画像表示処理による間引き画像の表示態様としては、走査線２５を１本ごとに間引いたものとしていたが、複数本ごとに間引いてもよいし、複数本につき１本を残すように間引いてもよい。また、間引く間隔は一定間隔でなくてもよく、間引きの程度（密度）が表示部２の表示場所により異なってもよい。例えば、走査線２５の番号が小さいほど間引く本数が少ないようにして、表示の上部ほど詳細に表示されるようにしてもよいし、逆に走査線２５の番号が大きいほど間引く本数が少ないようにして、表示の下部ほど詳細に表示されるようにしてもよい。
【００６３】
また、間引き画像の表示態様は、予め設定されていてもよいし、操作部３を操作してこの設定を変更できるようにしてもよい。
【００６４】
＜変形例４＞
上述した実施形態においては、簡易画像表示処理による間引き画像の表示態様としては、走査線２５を１本ごとに間引くことにより、横１列にわたって画像の一部が間引かれたものとなっていたが、データ線２４を間引くことにより、縦１列にわたって画像の一部が間引かれたものとしてもよい。以下、表示態様としては、データ線２４を１本ごとに間引くものとし、点順次駆動とした場合、線順次駆動とした場合について分けて説明する。
【００６５】
まず、点順次駆動とした場合を説明する。この例においては、走査信号制御部１３から出力される水平走査信号ＣＬＸについて、詳細画像表示処理のときには実施形態における水平走査信号ＣＬＸと同じ水平走査信号ＣＬＸ（１）として出力され、簡易画像表示処理のときには、予め設定されたデータ線、この例においては奇数番号のデータ線２４（データ線Ｓ１、Ｓ３、Ｓ５、・・・、Ｓｍ−１（ｍが偶数の場合））を順次選択させる水平走査信号ＣＬＸ（２）として出力される。したがって、水平走査信号ＣＬＸ（２）に係る水平走査期間は、水平走査信号ＣＬＸ（１）に係る水平走査期間の半分となる。
【００６６】
一方、走査信号制御部１３から出力される垂直走査信号ＣＬＹは、詳細画像表示処理のときには実施形態における垂直走査信号ＣＬＹ（１）として出力される。一方、簡易画像表示処理の時には垂直走査信号ＣＬＹ（１）における走査線２５の各々の選択期間（水平走査期間）を、水平走査信号ＣＬＸ（２）により選択されるデータ線の数に応じた期間、この例においては半分とした垂直走査信号ＣＬＹ（２）として出力される。これにより、垂直走査信号ＣＬＹ（２）に係る垂直走査期間は、垂直走査信号ＣＬＹ（１）の半分となる。
【００６７】
データ信号制御部１２から出力されるデータ信号Ｖｄは、詳細画像表示処理のときには実施形態におけるデータ信号Ｖｄ（１）として出力され、簡易画像表示処理のときには、水平走査信号ＣＬＸ（２）によって選択されるデータ線２４以外、すなわち偶数番号のデータ線２４に対応するデータを間引いたデータ信号Ｖｄ（２）として出力される。
【００６８】
図８は、本変形例におけるデータ信号Ｖｄ（１）、Ｖｄ（２）の説明図である。図８に示すように、データ信号Ｖｄ（２）は、各走査線２５に対応するデータがそれぞれ半分ずつ間引かれているから、データ信号Ｖｄ（１）に係る垂直走査期間Ｔｆの半分の時間Ｔｆ／２で、各画素回路２３へのデータの供給が終了する。これは、上述したように、水平走査期間がＴｆ／ｎからＴｆ／２ｎと半分になることによる。
【００６９】
次に、線順次駆動とした場合について説明する。この場合には、上述のように水平走査期間を短縮することはできないから、データ信号Ｖｄ（２）については、データ信号Ｖｄ（１）から、水平走査信号ＣＬＸ（２）によって選択されるデータ線２４以外、すなわち偶数番号のデータ線２４に対応するデータを予め設定されたデータに置換したものとする。予め設定されたデータとは、直前の画像表示のときに表示されている表示色に対応するデータ、簡易画像表示処理の前にリセット処理が行われる場合には、リセット処理後の表示色に対応するデータとすればよい。この簡易画像表示処理によっては、各表示処理における表示に要する時間に違いはないが、偶数番号のデータ線２４について、画像の切り替えによるデータ（電圧）の変動が無いことになり、消費電力が低減されることになる。
【００７０】
このように、簡易画像表示処理のときに、データ線２４に対応して画像を間引くようにしてもよく、実施形態における構成と組み合わせ、データ線２４、走査線２５に対応して画像を間引く構成としてもよい。
【符号の説明】
【００７１】
１…表示装置、２…表示部、３…操作部、４…接続Ｉ／Ｆ部、１０…表示制御部、１１…主制御部、１２…データ信号制御部、１３…走査信号制御部、２１，２１Ａ…垂直走査回路、２２…水平走査回路、２３…画素回路、２４…データ線、２５…走査線、１００…外部機器、２３０…ｎチャネル型ＴＦＴ、２３１…保持容量、２３２…画素電極、２３３…マイクロカプセル、２３４…透明電極、２３５…コモン電極
【図１】
2010181797.tif 000003
【図２】
2010181797.tif 000004
【図３】
2010181797.tif 000005
【図４】
2010181797.tif 000006
【図５】
2010181797.tif 000007
【図６】
2010181797.tif 000008
【図７】
2010181797.tif 000009
【図８】
2010181797.tif 000010